(57)【特許請求の範囲】
【請求項１】
絶縁性基板と、前記絶縁性基板に設けられた導体層と、前記導体層に設けられた電子素子と、前記絶縁性基板の前記電子素子と反対側に設けられた放熱層と、有する電子モジュールと、
前記放熱層と当接する冷却体と、
を備え、
前記冷却体は、前記放熱層と当接する部分に設けられ、複数の領域に分割された分割部を有し、
前記電子素子はスイッチング素子を含み、
前記分割部は複数の分割ユニットを有し、
前記分割ユニットの間に平坦面が設けられ、
前記分割ユニット側から見たときに前記分割ユニットに前記スイッチング素子が設けられ、前記平坦面には前記スイッチング素子が設けられていないことを特徴とする電子機器。
【請求項２】
絶縁性基板と、前記絶縁性基板に設けられた導体層と、前記導体層に設けられた電子素子と、前記絶縁性基板の前記電子素子と反対側に設けられた放熱層と、有する電子モジュールと、
前記放熱層と当接する冷却体と、
を備え、
前記冷却体は、前記放熱層と当接する部分に設けられ、複数の領域に分割された分割部を有し、
前記電子素子はスイッチング素子を含み、
前記分割部は複数の分割ユニットを有し、
前記分割ユニットの間に平坦面が設けられ、
前記分割ユニット側から見たときに前記平坦面に前記スイッチング素子が設けられ、前記分割ユニットには前記スイッチング素子が設けられていないことを特徴とする電子機器。
【請求項３】
前記分割ユニットは、前記放熱層と当接する当接部と、前記当接部の間に設けられた複数の溝部とを有することを特徴とする請求項１又は２のいずれかに記載の電子機器。
【請求項４】
前記分割ユニットは、前記冷却体側から見たときに、前記電子素子の全体を覆うようになっていることを特徴とする請求項１に記載の電子機器。
【請求項５】
前記分割ユニットは、格子形状となっていることを特徴とする請求項１乃至４のいずれか１項に記載の電子機器。
【請求項６】
前記分割ユニットに冷却流体が流されることを特徴とする請求項１乃至５のいずれか１項に記載の電子機器。
【請求項７】
前記分割ユニットに潤滑剤が設けられていることを特徴とする請求項１乃至６のいずれか１項に記載の電子機器。
【請求項８】
前記絶縁性基板は第一絶縁性基板及び第二絶縁性基板を有し、
前記電子素子は第一電子素子及び第二電子素子を有し、
前記放熱層は第一放熱層及び第二放熱層を有し、
前記第一絶縁性基板の一方側に第一電子素子が設けられ、
前記第一絶縁性基板の他方側に設けられた第一放熱層が設けられ、
前記第一電子素子の一方側に第二電子素子が設けられ、
前記第二電子素子の一方側に第二絶縁性基板が設けられ、
前記第二絶縁性基板の一方側に第二放熱層が設けられ、
前記第一電子素子及び前記第二電子素子のうちの少なくともいずれか一方はスイッチング素子であり、前記第一電子素子がスイッチング素子である場合には、前記分割部は前記第一放熱層と当接する部分に設けられ、前記第二電子素子がスイッチング素子である場合には、前記分割部は前記第二放熱層と当接する部分に設けられることを特徴とする請求項１乃至７のいずれか１項に記載の電子機器。
【発明の詳細な説明】
【技術分野】
【０００１】
本発明は、電子モジュール及び冷却体を有する電子機器に関する。
【背景技術】
【０００２】
従来から、トランスファーパワーモジュールといった電子モジュールは内蔵された電子素子等を冷却するために、電子モジュールの裏面に銅等からなる放熱板（放熱層）が設けられている（例えば特開２０１５−２１１５２４号参照）。このように放熱層が設けられると、導体層、絶縁性基板及び放熱層によってコンデンサとしての役割を果たすことがある（コンデンサ機能が形成されることがある）。このようにコンデンサ機能が形成されると、電子モジュール内の電子素子によるノイズが放熱層を介して電子モジュールの外部に放出されることがある。
【発明の概要】
【発明が解決しようとする課題】
【０００３】
このような点に鑑み、本発明は、ノイズを低減できる電子機器を提供する。
【課題を解決するための手段】
【０００４】
本発明の一態様による電子機器は、
絶縁性基板と、前記絶縁性基板に設けられた導体層と、前記導体層に設けられた電子素子と、前記絶縁性基板の前記電子素子と反対側に設けられた放熱層と、有する電子モジュールと、
前記放熱層と当接する冷却体と、
を備え、
前記冷却体は、前記放熱層と当接する部分に設けられ、複数の領域に分割された分割部を有してもよい。【０００５】
本発明の一態様による電子機器において、
前記分割部は、前記放熱層と当接する当接部と、前記当接部の間に設けられた溝部とを有してもよい。【０００６】
本発明の一態様による電子機器において、
前記分割部は複数の分割ユニットを有してもよい。【０００７】
本発明の一態様による電子機器において、
前記電子素子はスイッチング素子を含んでもよい。【０００８】
本発明の一態様による電子機器において、
前記分割部は、前記冷却体側から見たときに、前記電子素子の全体を覆うようになっていてもよい。【０００９】
本発明の一態様による電子機器において、
前記分割部は、格子形状となっていてもよい。【００１０】
本発明の一態様による電子機器において、
前記分割部に冷却流体が流されてもよい。【００１１】
本発明の一態様による電子機器において、
前記分割部に潤滑剤が設けられていてもよい。【００１２】
本発明の一態様による電子機器において、
前記絶縁性基板は第一絶縁性基板及び第二絶縁性基板を有し、
前記電子素子は第一電子素子及び第二電子素子を有し、
前記放熱層は第一放熱層及び第二放熱層を有し、
前記第一絶縁性基板の一方側に第一電子素子が設けられ、
前記第一絶縁性基板の他方側に設けられた第一放熱層が設けられ、
前記第一電子素子の一方側に第二電子素子が設けられ、
前記第二電子素子の一方側に第二絶縁性基板が設けられ、
前記第二絶縁性基板の一方側に第二放熱層が設けられ、
前記第一電子素子及び前記第二電子素子のうちの少なくともいずれか一方はスイッチング素子であり、前記第一電子素子がスイッチング素子である場合には、前記分割部は前記第一放熱層と当接する部分に設けられ、前記第二電子素子がスイッチング素子である場合には、前記分割部は前記第二放熱層と当接する部分に設けられてもよい。
【発明の効果】
【００１３】
本発明では、冷却体が放熱層と当接する部分に設けられて複数の領域に分割された分割部を有している。このため、冷却体と放熱層との間の接触面積を小さくすることができ、放熱層と冷却体との間に形成される抵抗を大きくすることができる。この結果、電子機器から放出されるノイズを抑制できる。
【図面の簡単な説明】
【００１４】
【図１】図１は、本発明の第１の実施の形態による電子機器を示した縦断面図である。
【図２】図２は、本発明の第１の実施の形態において冷却体が分割ユニットを有する態様を示した縦断面図である。
【図３】図３は、本発明の第１の実施の形態における冷却体の分割部を示した平面図である。
【図４】図４は、本発明の第１の実施の形態における冷却体が分割ユニットを有する態様を示した平面図である。
【図５】図５は、本発明の第１の実施の形態における電子素子及び導体層と分割ユニットとの位置関係を示した平面図であり、電子素子及び導体層を破線で示した平面図である。
【図６】図６は、図５に対応する平面図であって、図５とは異なる態様を示した平面図である。
【図７】図７は、図５に対応する平面図であって、図５及び図６とは異なる態様を示した平面図である。
【図８】図８は、本発明の第１の実施の形態における当接部と溝部の変形例を示した拡大平面図である。
【図９】図９は、本発明の第１の実施の形態で用いられうる分割ユニットの態様の複数の例を示した平面図である。
【図１０】図１０は、図２に対応する縦断面図であって、図２とは異なる態様を示した縦断面図である。
【図１１】図１１は、本発明の第２の実施の形態における冷却体を示した平面図である。
【図１２】図１２は、本発明の第２の実施の形態の別の態様における冷却体を示した平面図である。
【図１３】図１３は、本発明の第３の実施の形態による電子機器を示した縦断面図である。
【図１４】図１４は、本発明の第３の実施の形態の変形例１による電子機器を示した縦断面図である。
【図１５】図１５は、本発明の第３の実施の形態の変形例２による電子機器を示した縦断面図である。
【図１６】図１６は、本発明の第３の実施の形態の変形例３による電子機器を示した縦断面図である。
【発明を実施するための形態】
【００１５】
第１の実施の形態
《構成》
本実施の形態の電子機器は、電子モジュールと、放熱フィン等からなり、後述する電子モジュールの放熱層１０と当接する冷却体１００とを有してもよい。
【００１６】
図１に示すように、電子モジュールは、絶縁性基板６０と、絶縁性基板６０のおもて面側（図１の上側）に設けられた導体層２０と、導体層２０に設けられた電子素子４０と、絶縁性基板６０の裏面側（電子素子４０と反対側）に設けられた放熱層１０と、を有してもよい。放熱層１０としては、銅等の金属からなる放熱板を用いることもできる。
【００１７】
冷却体１００は、放熱層１０と当接する部分に設けられ、複数の領域に分割された分割部１１０を有してもよい。このように複数の領域に分割された分割部１１０は、図３に示すように、放熱層１０と当接する当接部１１５と、当接部１１５の間に設けられた溝部１１６とを有してもよい。
【００１８】
本実施の形態では、電子モジュールの一例としては半導体モジュールを挙げることができ、電子素子４０の一例として半導体素子を挙げることができる。しかしながら、これに限られるものではなく、必ずしも「半導体」を用いる必要はない。
【００１９】
図１に示すように、絶縁性基板６０、導体層２０及び電子素子４０は封止樹脂等からなる封止部９０で覆われてもよい。図１に示すように、封止部９０の裏面は絶縁性基板６０の裏面と同じ高さ位置となっていてもよい。図１では、放熱層１０が絶縁性基板６０の裏面に設けられ、放熱層１０が封止部９０の裏面から突出している態様となっているが、これに限られることはなく、絶縁性基板６０が封止部９０内に埋設され、放熱層１０の裏面が封止部９０の裏面と同じ高さ位置となっていてもよい。
【００２０】
電子素子４０はスイッチング素子を含んでもよい。スイッチング素子としては、例えば、ＭＯＳＦＥＴ等のＦＥＴ、バイポーラトランジスタ、ＩＧＢＴ等を挙げることができ、典型例を挙げるとするとＭＯＳＦＥＴを挙げることができる。
【００２１】
導体層２０は絶縁性基板６０上でパターニングされることで回路が形成されてもよい。放熱層１０は金属板であってもよい。導体層２０及び放熱層１０は例えば銅からなっていてもよい。
【００２２】
分割部１１０は、冷却体１００側から見たときに（図１の下側から見たときに）、一つ又は複数の電子素子４０の全体を覆うようになっていてもよい。
【００２３】
図２及び図４に示すように、分割部１１０は、複数の分割ユニット１２０を有してもよい。図５及び図６に示すように、複数の分割ユニット１２０のうちの少なくとも一部は、冷却体１００側から見たときに、一つ又は複数の電子素子４０の全体を覆うようになっていてもよい。
【００２４】
分割部１１０が設けられていない領域は平坦面１５０となっていてもよい。このように平坦面１５０となっている場合で、当該平坦面１５０に放熱層１０が位置するときには、平坦面１５０と放熱層１０とが当接することになる。分割ユニット１２０が設けられている場合には、分割ユニット１２０の間に平坦面１５０が設けられ、この平坦面１５０が放熱層１０と当接してもよい。他方、図１０に示すように、分割ユニット１２０の間は凹部１３０となっていてもよい。このように凹部１３０となっている場合には、分割ユニット１２０の間において、放熱層１０と冷却体１００とは接触しないようになっている。
【００２５】
図３及び図４に示すように、分割部１１０は格子形状となっていてもよい。分割部１１０が格子形状となっているときには、当接部１１５の間の溝部１１６が直交する方向で設けられることになる。
【００２６】
分割ユニット１２０は、導体層２０が配置されている箇所の全体を含むようにして設けられてもよい。一例としては、図５の左上及び左下の分割ユニット１２０は、分割ユニット１２０側から見たときに、導体層２０及び電子素子４０が配置されている箇所の全体を覆うようになっている。
【００２７】
分割ユニット１２０は、電子素子４０が配置されている箇所の全体を含むようにして設けられてもよい。一例としては、図５の左上、左下及び右上の分割ユニット１２０は、分割ユニット１２０側から見たときに、電子素子４０が配置されている箇所の全体を覆うようになっている。
【００２８】
当接部１１５は電子素子４０及び導体層２０の位置とは全く無関係に設けられてもよい。つまり、予め定まったパターンで当接部１１５が設けられ、分割部１１０が電子素子４０又は導体層２０を覆うような位置に位置づけられているか関係なく配置されてもよい。このような態様を採用する場合には、分割部１１０を簡易に設けることができる点で有益である。
【００２９】
また、分割ユニット１２０の形状は各々異なっていてもよいし、同じ形状となっていてもよい。図４及び図５に示すように、分割ユニット１２０は矩形状であってもよいし、図６に示すように、複数の分割ユニット１２０のうちの少なくとも一つはＬ字形状となっていてもよい。なお、図５及び図６では分割ユニット１２０の構成を示していないが、図５及び図６における分割ユニット１２０は図４で示すような格子形状であってもよい。
【００３０】
分割部１１０又は分割ユニット１２０は格子形状である必要はなく、例えば図８に示すように矩形の当接部１１５とＬ字形状の当接部１１５とが混在していてもよく、その他の形状であってもよい。例えば、図９の左上及び右上の分割ユニット１２０で示すように、溝部１１６が直線状に設けられており溝部１１６が公差しないようになっていてもよいし、図９の左下の分割ユニット１２０で示すように溝部１１６が異なる間隔で配置されていてもよいし、図９の右下の分割ユニット１２０で示すように溝部１１６が傾斜するようにして設けられてもよい。
【００３１】
《作用・効果》
次に、上述した構成からなる本実施の形態による作用・効果であって、未だ説明していないものについて説明する。「作用・効果」で記載するあらゆる構成も採用することができる。
【００３２】
図１に示すように、冷却体１００が放熱層１０と当接する部分に設けられて複数の領域に分割された分割部１１０を有している態様を採用した場合には、冷却体１００と放熱層１０との接触面積を小さくすることができ、放熱層１０と冷却体１００との間に形成される抵抗を大きくすることができる。この結果、電子機器から放出されるノイズを抑制できる。
【００３３】
特に電子素子４０がスイッチング素子を有する場合には、スイッチング素子から発生したノイズは、放熱層１０と冷却体１００との間に形成される抵抗を大きくすることで、電子機器から放出され難くすることができる。なお、本明細書において、「電子素子４０」（後述する「第一電子素子４１」及び「第二電子素子４２」を含む。）という文言は、一つ又は複数の電子素子４０を総称したものである。このため、「電子素子４０がスイッチング素子を有する」というのは、電子素子４０のうちの少なくとも一つがスイッチング素子であることを意味している。なお、スイッチング素子はノイズの原因になるだけではなく、高い熱を発する。このため、スイッチング素子から発生する熱を効率よく逃がすことも重要な課題となる。
【００３４】
冷却体１００側から見たときに、分割部１１０又は分割ユニット１２０が電子素子４０の配置されている箇所の全体を含むようにして設ける態様を採用した場合には（図５の左上、左下及び右上の分割ユニット１２０参照）、ノイズの発生する電子素子４０に対応した位置（当該電子素子４０と冷却体１００との間）で放熱層１０と冷却体１００との間の抵抗を大きくすることができ、電子機器からノイズが放出され難くすることができる。また、電子素子４０がスイッチング素子を有する場合には、冷却体１００側から見たときに、分割部１１０又は分割ユニット１２０が少なくともスイッチング素子の配置されている箇所の全体を含むようにして設けるようにしてもよい。このような態様を採用する場合には、ノイズの問題が発生しやすいスイッチング素子に対応した位置での抵抗を大きくすることができ、ひいてはより確実に電子機器からノイズが放出され難くすることができる。
【００３５】
冷却体１００側から見たときに、分割部１１０又は分割ユニット１２０が導体層２０の配置されている箇所の全体を含むようにして設ける態様を採用した場合には（図５の左上及び左下の分割ユニット１２０参照）、電子素子４０からのノイズを伝達する導体層２０に対応した位置（当該導体層２０と冷却体１００との間）で放熱層１０と冷却体１００との間の抵抗を直接的に大きくすることができ、電子機器からノイズが放出され難くすることができる。また、電子素子４０がスイッチング素子を有する場合には、冷却体１００側から見たときに、分割部１１０又は分割ユニット１２０が少なくともスイッチング素子の設けられた導体層２０が配置されている箇所の全体を含むようにして設けるようにしてもよい。このような態様を採用する場合には、ノイズの問題が発生しやすいスイッチング素子に対応した位置での抵抗を大きくすることができ、ひいてはより確実に電子機器からノイズが放出され難くすることができる。
【００３６】
また、図７の左上、左下及び右上に示すように、冷却体１００側から見たときに、分割部１１０又は分割ユニット１２０が電子素子４０の配置されている箇所に設けられておらず、電子素子４０の配置されている箇所では平坦面１５０となって、放熱層１０と冷却体１００とが当接するようにしてもよい。このような態様を採用した場合には、電子素子４０によるノイズは間接的にしか抑制できないが、電子素子４０による発熱を効率よく逃がすことができる点で有益である。
【００３７】
また、図７の左上及び左下に示すように、冷却体１００側から見たときに、分割部１１０又は分割ユニット１２０が電子素子４０の設けられた導体層２０の配置されている箇所に設けられておらず、当該導体層２０の配置されている箇所では平坦面１５０となって、放熱層１０と冷却体１００とが当接するようにしてもよい。このような態様を採用した場合には、電子素子４０によるノイズは間接的にしか抑制できないが、電子素子４０による発熱を効率よく逃がすことができる点で有益である。
【００３８】
図７の右下に示すように、冷却体１００側から見たときに、分割部１１０又は分割ユニット１２０が特定の電子素子４０（例えばスイッチング素子）の配置されている箇所に設けられるようにしてもよい。このような態様を採用することで、ノイズを発生しやすい特定の電子素子４０（例えばスイッチング素子）に対応させて放熱層１０と冷却体１００との間の抵抗を大きくし、電子機器からノイズが放出され難くすることができる。
【００３９】
冷却体１００側から見たときに、分割ユニット１２０は電子素子４０の設けられた導体層２０又はスイッチング素子の設けられた導体層２０と同じ形状となり、分割ユニット１２０の各々が対応する導体層２０と対向するようにして設けられてもよい。このような態様を採用した場合には、導体層２０が設けられた領域において電子素子４０と冷却体１００との間の抵抗を直接的に小さくすることができる。
【００４０】
第２の実施の形態
次に、本発明の第２の実施の形態について説明する。第２の実施の形態において、第１の実施の形態と同じ又は同様の部材等については同じ符号を付し、その説明を省略する。
【００４１】
本実施の形態では、分割部１１０に冷却水等の冷却流体が流されるようになってもよい。より具体的には、図１１及び図１２に示すように、分割部１１０又は分割ユニット１２０の溝部１１６内を冷却流体が流れるようになってもよい。このように冷却流体が流れる態様を採用することで、当接部１１５からなる領域と比較して抵抗値を大きくして電子装置によるノイズの発生を抑制しつつ、冷却流体によって放熱性をある程度維持できる点で有益である。
【００４２】
また、図１２に示すように、分割部１１０に放熱グリス等の潤滑剤が設けられてもよい。より具体的には、分割部１１０の溝部１１６内に放熱グリス等の潤滑剤が設けられてもよい。このように潤滑剤を設ける態様を採用することで、当接部１１５からなる領域と比較して抵抗値を大きくして電子装置によるノイズの発生を抑制しつつ、潤滑剤によって放熱性をある程度維持できる点で有益である。
【００４３】
また、冷却流体と潤滑剤とを併用してもよい。より具体的には、図１２に示すように、溝部１１６のうちの一部に冷却流体を流し、別の一部に潤滑剤を設ける態様を採用してもよい。この場合には、当接部１１５からなる領域と比較して抵抗値を大きくして電子装置によるノイズの発生を抑制しつつ、冷却流体又は潤滑剤によって放熱性をある程度維持できる点で有益である。また、冷却流体が流れる溝部１１６と潤滑剤が設けられた溝部１１６とが連通されておらず、冷却流体が潤滑剤の設けられた溝部１１６内に流れ込まないようにすればよい。一例としては、図１２の左上及び右下の分割ユニット１２０の溝部１１６と、図１２の右上及び左下の分割ユニット１２０の溝部１１６とは連通していない。
【００４４】
なお、冷却流体と潤滑剤とでは、抵抗値及び冷却効果が異なることから、これらを適宜選択して用いてもよい。例えば、冷却体１００側から見て電子素子４０が設けられている領域を含む箇所では冷却流体及び潤滑剤のうち抵抗値の大きな方を選択し、冷却体１００側から見て電子素子４０が設けられている領域を含まない箇所では冷却流体及び潤滑剤のうち抵抗値の小さな方を選択することで、ノイズの発生を効率的に抑制するようにしてもよい。また、冷却体１００側から見てスイッチング素子が設けられている領域を含む箇所では冷却流体及び潤滑剤のうち抵抗値の大きな方を選択し、冷却体１００側から見てスイッチング素子が設けられている領域を含まない箇所では冷却流体及び潤滑剤のうち抵抗値の小さな方を選択することで、ノイズの発生を効率的に抑制するようにしてもよい。
【００４５】
また、冷却体１００側から見て電子素子４０が設けられている領域を含む箇所では冷却流体及び潤滑剤のうち放熱性の大きな方を選択し、冷却体１００側から見て電子素子４０が設けられている領域を含まない箇所では冷却流体及び潤滑剤のうち放熱性の小さな方を選択することで、放熱効率を高めるようにしてもよい。また、冷却体１００側から見てスイッチング素子が設けられている領域を含む箇所では冷却流体及び潤滑剤のうち放熱性の大きな方を選択し、冷却体１００側から見てスイッチング素子が設けられている領域を含まない箇所では冷却流体及び潤滑剤のうち放熱性の小さな方を選択することで、放熱効率を高めるようにしてもよい。
【００４６】
本実施の形態では、第１の実施の形態で説明したあらゆる構成（変形例を含む。）を採用することができる。
【００４７】
第３の実施の形態
次に、本発明の第３の実施の形態について説明する。第３の実施の形態において、第１の実施の形態又は第２の実施の形態と同じ又は同様の部材等については同じ符号を付し、その説明を省略する。
【００４８】
第３の実施の形態では、電子素子４０が積層されて配置されており、スタック構造となっている。より具体的には、図１３に示すように、絶縁性基板６０は第一絶縁性基板６１及び第二絶縁性基板６２を有し、電子素子４０は第一電子素子４１及び第二電子素子４２を有し、放熱層１０は第一放熱層１１及び第二放熱層１２を有してもよい。第一絶縁性基板６１の一方側（図１３の上側）に第一電子素子４１が設けられ、第一絶縁性基板６１の他方側（図１３の下側）に第一放熱層１１が設けられてもよい。第一電子素子４１の一方側に第二電子素子４２が設けられ、第二電子素子４２の一方側に第二絶縁性基板６２が設けられ、第二絶縁性基板６２の一方側に第二放熱層１２が設けられてもよい。また、導体層２０は、第一導体層２１及び第二導体層２２を有し、第一導体層２１の一方側に第一電子素子４１が設けられ、第二導体層２２の一方側に第二電子素子４２が設けられてもよい。
【００４９】
第一電子素子４１及び第二電子素子４２のうちの少なくともいずれか一方はスイッチング素子を有してもよい。そして、第一電子素子４１がスイッチング素子を有する場合には、分割部１１０は、第一放熱層１１側に設けられた第一冷却体１０１に設けられてもよい（図１３参照）。この場合には、分割部１１０は、第一冷却体１０１のうち第一放熱層１１と当接する部分に設けられることになる。第二電子素子４２がスイッチング素子を有する場合には、分割部１１０は、第二放熱層１２側に設けられた第二冷却体１０２に設けられてもよい（図１４参照）。この場合には、分割部１１０は、第二冷却体１０２のうち第二放熱層１２と当接する部分に設けられることになる。本実施の形態では、第一冷却体１０１に設けられた分割部１１０を第一分割部１１１といい、第二冷却体１０２に設けられた分割部１１０を第二分割部１１２という。
【００５０】
図１３及び図１４に示す態様では、第一電子素子４１の一方側（図１３及び図１４の上側）に導体柱２９が設けられ、導体柱２９の一方側（図１３及び図１４の上側）に第二導体層２２が設けられている。
【００５１】
前述したように、電子素子４０がスイッチング素子を有する場合には、ノイズが大きくなる傾向にある。このため、少なくともスイッチング素子が設けられている側に分割部１１０が設けられている態様を採用することで、スイッチング素子に由来するノイズの発生を抑制できる。
【００５２】
また、第一電子素子４１及び第二電子素子４２がスイッチング素子を有するかどうかに関係なく、分割部１１０が設けられる態様を採用してもよい。つまり、第一電子素子４１がスイッチング素子を有するかどうかに関係なく、また、第二電子素子４２がスイッチング素子を有するかどうかに関係なく、第一分割部１１１だけが設けられ第二分割部１１２は設けられなくてもよいし（図１３参照）、第二分割部１１２だけが設けられ第一分割部１１１は設けられなくてもよいし（図１４参照）、第一分割部１１１と第二分割部１１２の両方が設けられてもよい（図１５参照）。図１３乃至図１５で示された分割部１１０は、第１の実施の形態で示したような複数の分割ユニット１２０を有してもよい。つまり、第一分割部１１１は複数の第一分割ユニットを有してもよいし、第二分割部１１２は複数の第二分割ユニットを有してもよいし、第一分割部１１１が複数の第一分割ユニットを有し、かつ、第二分割部１１２が複数の第二分割ユニットを有してもよい。
【００５３】
また、スイッチング素子を一方側又は他方側に集め、スイッチン素子が集められた側に分割部１１０が設けられるようにしてもよい。より具体的には、第一電子素子４１がスイッチン素子を有し第二電子素子４２がスイッチング素子を有さない場合には、図１３に示すように、第一分割部１１１だけが設けられ第二分割部１１２は設けられなくてもよい。この場合には、平坦面１５０が第二放熱層１２と当接することになる。第二電子素子４２がスイッチン素子を有し第一電子素子４１がスイッチング素子を有さない場合には、図１４に示すように、第二分割部１１２だけが設けられ第一分割部１１１は設けられなくてもよい。この場合には、平坦面１５０が第一放熱層１１と当接することになる。
【００５４】
放熱性を重視するのであれば、スイッチング素子を一方側又は他方側に集め、スイッチン素子が集められた側に分割部１１０が設けられないようにしてもよい。より具体的には、第一電子素子４１がスイッチン素子を有し第二電子素子４２がスイッチング素子を有さない場合には、図１４に示すように、第二分割部１１２だけが設けられ第一分割部１１１は設けられなくてもよい。この場合には、平坦面１５０が第一放熱層１１と当接することになる。第二電子素子４２がスイッチン素子を有し第一電子素子４１がスイッチング素子を有さない場合には、図１３に示すように、第一分割部１１１だけが設けられ第二分割部１１２は設けられなくてもよい。この場合には、平坦面１５０が第二放熱層１２と当接することになる。
【００５５】
なお、図１３乃至図１５に示された態様とは異なり、図１６に示すように、第一導体層２１の一方側に第一電子素子４１が設けられ、第一電子素子４１の一方側に導体柱２９が設けられ、導体柱２９の一方側に第二電子素子４２が設けられ、第二電子素子４２の一方側に第二導体層２２が設けられるようになってもよい。
【００５６】
本実施の形態では、第１の実施の形態及び第２の実施の形態で説明したあらゆる構成（変形例を含む。）を採用することができる。
【００５７】
上述した実施の形態の記載、変形例の記載及び図面の開示は、請求の範囲に記載された発明を説明するための一例に過ぎず、上述した実施の形態の記載、変形例の記載又は図面の開示によって請求の範囲に記載された発明が限定されることはない。また、出願当初の請求項の記載はあくまでも一例であり、明細書、図面等の記載に基づき、請求項の記載を適宜変更することもできる。
【符号の説明】
【００５８】
１０        放熱層
１１        第一放熱層
１２        第二放熱層
２０        導体層
４０        電子素子
４１        第一電子素子
４２        第二電子素子
６０        絶縁性基板
６１        第一絶縁性基板
６２        第二絶縁性基板
１００      冷却体
１１０      分割部
１１５      当接部
１１６      溝部
１２０      分割ユニット
【図１】
0006496845.tif 000002
【図２】
0006496845.tif 000003
【図３】
0006496845.tif 000004
【図４】
0006496845.tif 000005
【図５】
0006496845.tif 000006
【図６】
0006496845.tif 000007
【図７】
0006496845.tif 000008
【図８】
0006496845.tif 000009
【図９】
0006496845.tif 000010
【図１０】
0006496845.tif 000011
【図１１】
0006496845.tif 000012
【図１２】
0006496845.tif 000013
【図１３】
0006496845.tif 000014
【図１４】
0006496845.tif 000015
【図１５】
0006496845.tif 000016
【図１６】
0006496845.tif 000017